(57)【特許請求の範囲】
【請求項１】
マルチキャスト・ブロードキャストデータパスのリリース方法であって、
アクセスネットワークが、マルチキャスト・ブロードキャスト・サービスをキャリーするデータパスのリリースを発起し、且つ該データパスにおける相応なマルチキャスト・ブロードキャスト・サービスを終止するようコアネットワークに通知することを含み、そのうち、
前記マルチキャスト・ブロードキャスト・サービスをキャリーするデータパスのリリースを発起することは、
前記アクセスネットワークのマルチキャスト・ブロードキャストプロキシが、前記マルチキャスト・ブロードキャスト・サービスのマルチキャスト・ブロードキャストエリア内の全ての基地局に前記マルチキャスト・ブロードキャスト・サービス対応のデータパスのリリースを発起することを含む。
【請求項２】
アクセスネットワークがマルチキャスト・ブロードキャスト・サービスをキャリーするデータパスのリリースを発起するステップにおいて、
あるデータパスにおける全てのマルチキャスト・ブロードキャスト・サービスのいずれにも参加するユーザーがいないときに、アクセスネットワークが該データパスのリリースを発起し、或いは、
アクセスネットワークがリソース不足に気づくときに、データパスのリリースを発起し、或いは、
アクセスネットワークが、データパスにおけるマルチキャスト・ブロードキャスト・サービスの異常に気づくときに、該データパスのリリースを発起する請求項1に記載の方法。
【請求項３】
アクセスネットワークが自分でデータパスにおけるマルチキャスト・ブロードキャスト・サービスに参加するユーザーがいるかどうかを判断し、或いは、コアネットワークによりデータパスにおけるマルチキャスト・ブロードキャスト・サービスに参加するユーザーがいるかどうかを判断し、且つ判断結果をアクセスネットワークに知らせることをさらに含む請求項2に記載の方法。
【請求項４】
アクセスネットワークが参加するユーザーがいるかどうかを判断するステップにおいて、アクセスネットワークは、ユーザーがマルチキャスト・ブロードキャスト・サービスからログアウトするときに判断し、或いは定時に判断し、
コアネットワークが参加するユーザーがいるかどうかを判断するステップにおいて、コアネットワークは、ユーザーがマルチキャスト・ブロードキャストサービスからログアウトするときに判断し、或いはアクセスネットワークにより知らせ或いは定時に判断する請求項3に記載の方法。
【請求項５】
アクセスネットワーク或いはコアネットワークが、マルチキャスト・ブロードキャスト・サービスにまた参加するユーザーがいるかどうかを判断するステップにおいて、該マルチキャスト・ブロードキャスト・サービス対応の端末の統計情報と、該マルチキャスト・ブロードキャスト・サービス対応の端末情報とのいずれかの１つによって参加するユーザーがまたいるかどうかを判断する請求項3または4に記載の方法。
【請求項６】
マルチキャスト・ブロードキャスト・サービス対応の端末情報によってあるマルチキャスト・ブロードキャスト・サービスにまた参加するユーザーがいるかどうかを判断するステップにおいて、アクセスネットワーク或いはコアネットワークが、該マルチキャスト・ブロードキャスト・サービスに、対応の端末識別子またはユーザーの課金情報がまたあるかどうかを判断し、あると、該マルチキャスト・ブロードキャスト・サービスに参加するユーザーがまたいる、ないと、参加するユーザーがいない請求項5に記載の方法。
【請求項７】
アクセスネットワークが、マルチキャスト・ブロードキャスト・サービス伝送エリア識別子とパケットデータストリーム識別子、マルチキャスト・ブロードキャスト・サービスが位置するマルチキャスト・ブロードキャストエリア識別子とパケットデータストリーム識別子、マルチキャスト・ブロードキャストエリア識別子と接続識別子のメッセージの組み合わせの中の１つによってマルチキャスト・ブロードキャスト・サービスを確定することをさらに含む請求項5に記載の方法。
【請求項８】
前記アクセスネットワークがあるデータパスにおける相応なマルチキャスト・ブロードキャスト・サービスを終止するようコアネットワークに通知するステップには、アクセスネットワークにおけるマルチキャスト・ブロードキャストプロキシがコアネットワークにおけるマルチキャスト・ブロードキャストコントローラにマルチキャスト・ブロードキャスト・サービスを終止するメッセージを送信することを含む請求項1に記載の方法。
【請求項９】
マルチキャスト・ブロードキャストプロキシがマルチキャスト・ブロードキャスト・サービスを終止するメッセージを送信するステップにおいて、前記マルチキャスト・ブロードキャストプロキシが、アクセスネットワークとコアネットワークとの間にインタラクティブためのメッセージと、新しく増えたマルチキャスト・ブロードキャストコントローラにマルチキャスト・ブロードキャスト・サービス終止を発起するためのメッセージの中の一つをマルチキャスト・ブロードキャスト・サービスを終止するメッセージとし、
前記アクセスネットワークとコアネットワークの間にインタラクティブためのメッセージには、アクセスインタラクティブメッセージ及び/または認証変更メッセージを含む請求項8に記載の方法。
【請求項１０】
前記マルチキャスト・ブロードキャスト・サービスが対応するコアネットワークとアクセスネットワークとの間に相応なサービス接続が存在すれば、アクセスネットワークが該データパスにおける相応なマルチキャスト・ブロードキャスト・サービスを終止するようコアネットワークに通知するときに、さらに該マルチキャスト・ブロードキャスト・サービスが対応する前記サービス接続を終止することをコアネットワックに発起することをさらに含む請求項1に記載の方法。
【請求項１１】
アクセスネットワークとコアネットワークを含むマルチキャスト・ブロードキャストデータパスをリリースするシステムであって、
前記アクセスネットワークは、マルチキャスト・ブロードキャスト・サービスをキャリーするデータパスのリリースを発起し、且つ該データパスにおける相応なマルチキャスト・ブロードキャスト・サービスを終止するようコアネットワークに通知するように設置され、
前記コアネットワークは、該データパスに相応なマルチキャスト・ブロードキャスト・サービスを終止するように設置され、
前記アクセスネットワークがマルチキャスト・ブロードキャストプロキシを含み、前記マルチキャスト・ブロードキャストプロキシは、前記マルチキャスト・ブロードキャスト・サービスのマルチキャスト・ブロードキャストエリア内の全ての基地局に前記マルチキャスト・ブロードキャスト・サービス対応のデータパスのリリースを発起するように設置される。
【請求項１２】
前記アクセスネットワークは、マルチキャスト・ブロードキャストデータパスエンティティ及びマルチキャスト・ブロードキャストサービス配付データパスエンティティをさらに含み、前記コアネットワークはマルチキャスト・ブロードキャストコントローラを含み、その中に、
前記マルチキャスト・ブロードキャストプロキシは、さらに、該データパスにおける相応なマルチキャスト・ブロードキャスト・サービスを終止するようマルチキャスト・ブロードキャストコントローラに通知するように設置され、
前記マルチキャスト・ブロードキャストデータパスエンティティは、前記マルチキャスト・ブロードキャストプロキシまたはマルチキャスト・ブロードキャストサービス配付データパスエンティティの制御下でデータパスをリリースするように設置され、
マルチキャスト・ブロードキャスト・サービス配付データパスエンティティは、前記マルチキャスト・ブロードキャストプロキシの制御下でデータパスをリリースするように設置され、
前記マルチキャスト・ブロードキャストコントローラは、前記マルチキャスト・ブロードキャストプロキシの通知によって、前記データパスに相応なマルチキャスト・ブロードキャスト・サービスを終止するように設置される請求項11に記載のシステム。
【請求項１３】
マルチキャスト・ブロードキャストプロキシとマルチキャスト・ブロードキャスト・サービス配付データパスエンティティを含むアクセスネットワークのゲートウェイであって、
前記マルチキャスト・ブロードキャストプロキシは、データパスのリリースを発起し、且つ該データパスにおける相応なマルチキャスト・ブロードキャスト・サービスを終止するようコアネットワークに通知するように設置され、
前記マルチキャスト・ブロードキャスト・サービス配付データパスエンティティは、前記マルチキャスト・ブロードキャストプロキシの制御下でデータパスをリリースするように設置され、
前記マルチキャスト・ブロードキャストプロキシまたは前記マルチキャスト・ブロードキャスト・サービス配付データパスエンティティは、さらに、前記マルチキャスト・ブロードキャスト・サービスのマルチキャスト・ブロードキャストエリア内の全ての基地局に前記マルチキャスト・ブロードキャスト・サービス対応のデータパスのリリースを発起するように設置される。
【請求項１４】
さらに、アンカーサービスフロー認可エンティティを含み、
前記マルチキャスト・ブロードキャストプロキシはさらに、あるデータパスにおける全てのマルチキャスト・ブロードキャスト・サービスのいずれにも参加するユーザーがいないと、或いはリソースが不足でデータパスをリリースする必要があると、或いはあるデータパスにおけるマルチキャスト・ブロードキャストサービスが異常であると、データパスのリリースを発起するように設置される請求項13に記載のゲートウェイ。
【請求項１５】
さらに、アンカーサービスフロー認可エンティティを含み、
前記アンカーサービスフロー認可エンティティは、前記マルチキャスト・ブロードキャストプロキシにマルチキャスト・ブロードキャスト・サービスから離れるの要求メッセージを送信し、該マルチキャスト・ブロードキャスト・サービスから離れるように端末に指示するように設置され、
前記マルチキャスト・ブロードキャストプロキシはさらに、前記アンカーサービスフロー認可エンティティが送信したマルチキャスト・ブロードキャスト・サービスから離れるの要求メッセージを受信した後、該マルチキャスト・ブロードキャスト・サービス対応の端末の統計情報或いは該マルチキャスト・ブロードキャスト・サービス対応の端末情報をアップデートし、前記マルチキャスト・ブロードキャストプロキシが前記統計情報或いは端末情報によって前記マルチキャスト・ブロードキャスト・サービスにまた参加するユーザーがいるかどうかを判断するように設置される請求項13または14に記載のゲートウェイ。
【発明の詳細な説明】
【技術分野】
【０００１】
本発明はモバイルマルチメディアマルチキャスト・ブロードキャスト技術に関し、特に、マルチキャスト・ブロードキャストデータパスのリリース方法及びシステムに関する。
【背景技術】
【０００２】
マルチキャスト・ブロードキャスト・サービス(MBSまたはMCBCS)は無線通信分野に広く研究されているサービスである。該サービスを応用するときに、同じ無線リソース、或いは同じネットワークリソースが、複数のまたは全ての該サービスを受信する端末(MS)にシェアされることができる。即ち、1つのマルチキャスト・ブロードキャストエリアにおいて、端末が同じマルチキャスト・ブロードキャスト・サービスを受信することができる。マルチキャスト・ブロードキャストエリアは、同じ地理エリアに属する1つのまたは多数の基地局からなり、これらの基地局が同じ番組内容を伝送し、且つ同じリソースを利用してダウンリンク送信する。
【０００３】
マルチキャスト・ブロードキャストシステムは図1に示すように、アクセスネットワークに位置するマルチキャスト・ブロードキャストデータパスエンティティ(MBS DPF)、マルチキャスト・ブロードキャストプロキシ(MBS Proxy)、マルチキャスト・ブロードキャスト・サービス配付データパスエンティティ(MBS Distribution DPF)、アンカーサービスフロー認可エンティティ(Anchor SFA)とコアネットワークに位置するマルチキャスト・ブロードキャストコントローラ/サーバー(MCBCS Controller/Server)、AAAサーバー(認証、認可及び課金サーバー)、図の中にCSNはコアネットワークであり、ASNはアクセスネットワークであり、アクセスネットワックは物理エンティティ基地局(BS)とゲートウェイ(ASN - GW)を含み、その中に、
マルチキャスト・ブロードキャストデータパスエンティティ(MBS DPF)は、アクセスネットワークにおける機能エンティティであり、一般的に基地局に設置され、それがアクセスネットワークマルチキャスト・ブロードキャスト・サービス負荷制御管理を支持し、
マルチキャスト・ブロードキャストプロキシ(MBS Proxy)は、アクセスネットワークにおける機能エンティティであり、アクセスネットワックにおけるマルチキャスト・ブロードキャスト・サービス関連の制御面機能エンティティを管理することを担当し、例えば、コアネットワークとインタラクティブして該マルチキャスト・ブロードキャスト・サービスセッションの管理を支持することと、マルチキャスト・ブロードキャストアクセスパラメータの分配と、マルチキャスト・ブロードキャスト・サービス伝送の支持と、マルチキャスト・ブロードキャスト配付データパスエンティティとインタラクティブことによってマルチキャスト・ブロードキャストエリア内のマルチキャスト・ブロードキャストデータパスの確立とメンテナンスを制御することなど、
マルチキャスト・ブロードキャスト・サービス配付データパスエンティティ(MBS Distribution DPF)は、アクセスネットワークにおける機能エンティティであり、データ面を担当し、例えば、アクセスネットワークにおけるデータの配付を担当すると同時に、マルチキャスト・ブロードキャスト負荷制御管理も担当し、データパスの確立、リリース及びメンテナンスなどを含み、さらにデータパケット順番の管理と配付などを担当してもよく、
アンカーサービスフロー認可アンティティ(Anchor SFA)は、アクセスネットワークにおける機能アンティティであり、1つの所定の端末がマルチキャスト・ブロードキャスト・サービスに対する要求を管理することを担当し、例えば、該端末の所定のマルチキャスト・ブロードキャストサービスフローのためにサービスフロー識別子を分配し、マルチキャスト・ブロードキャスト・サービスフローの確立、改正及びリリースなどを支持し、
前記マルチキャスト・ブロードキャストプロキシ、マルチキャスト・ブロードキャスト・サービス配付データパスエンティティ及びアンカーサービスフロー認可エンティティは一般的にアクセスネットワークのゲートウェイに位置し、
マルチキャスト・ブロードキャストコントローラ(マルチキャスト・ブロードキャストサーバーを称してもよく、本文に、マルチキャスト・ブロードキャストコントローラ/サーバーの形式で示し、即ち、MCBCS Controller/Server)は、コアネットワークにおける機能エンティティであり、コアネットワークにおける全てのマルチキャスト・ブロードキャスト・サービス特定の機能ユニット例えば、IPマルチキャストグループの管理、マルチキャスト・ブロードキャスト・サービス番組管理、マルチキャスト・ブロードキャスト・サービス通知管理、マルチキャスト・ブロードキャスト・サービスセッション管理などを含む。
【０００４】
マルチキャスト・ブロードキャスト・サービスのデータ伝送において、アクセスネットワークのデータパスが負荷リソースとして、全ての該サービスに端末に使用されることができる。ある所定のマルチキャスト・ブロードキャスト・サービスに対して、データパスが一旦確立した後、該マルチキャスト・ブロードキャスト・サービスに加入する端末の数が増えるので別に確立または改めて確立する必要がない。所定のマルチキャスト・ブロードキャスト・サービスデータパスのリリースは、一般的にコアネットワークがサービスの特性及び策略によって主動的に発起し、例えば、該サービスが終了時間に達することである。具体的に、コアネットワークにおけるマルチキャスト・ブロードキャストサーバー(またはマルチキャスト・ブロードキャストコントローラを称する)によりマルチキャスト・ブロードキャストプロキシに通知してあるパケットサービスフローのリリースを発起する。
【０００５】
従来の技術に、コアネットワークにより発起したマルチキャスト・ブロードキャスト・サービスデータパスをリリースするプロセスは柔軟性が足りなく、全ての場面をカバーできない。例えば、サービスが終了時間に達しないで早めに終了し、このとき、コアネットワックとアクセスネットワークとが、依然として該サービスのリソース、例えばデータパスリソースを保留し、大きなリソース浪費を引き起こす。
【発明の概要】
【発明が解決しようとする課題】
【０００６】
本発明は解決しようとする技術課題がマルチキャスト・ブロードキャストデータパスのリリース方法及びシステムを提供し、全ての応用場面をカバーことができ、最大限にネットワークリソースを節約することである。
【課題を解決するための手段】
【０００７】
前記課題を解決するために、本発明はマルチキャスト・ブロードキャストデータパスのリリース方法を提供し、
アクセスネットワークが、必要なときにマルチキャスト・ブロードキャスト・サービスを負荷するためのデータパスのリリースを発起し、且つコアネットワークに通知して該データパスに相応なマルチキャスト・ブロードキャスト・サービスを終止することを含む。
【０００８】
好ましくは、アクセスネットワークが必要なときにマルチキャスト・ブロードキャスト・サービスを負荷するためのデータパスのリリースを発起するステップにおいて、
あるデータパスにおける全てのマルチキャスト・ブロードキャスト・サービスのいずれにも参加するユーザーがないときに、アクセスネットワークが該データパスのリリースを発起し、或いは
アクセスネットワークがリソース不足に気づくときに、データパスのリリースを発起し、或いは
アクセスネットワークが、データパスにおけるマルチキャスト・ブロードキャスト・サービスの異常に気づくときに、該データパスのリリースを発起する。
【０００９】
好ましくは、前記方法はさらに、
アクセスネットワークが自分でデータパスにおけるマルチキャスト・ブロードキャスト・サービスに参加するユーザーがいるかどうかを判断し、或いは、コアネットワークによりデータパスにおけるマルチキャスト・ブロードキャスト・サービスに参加するユーザーがいるかどうかを判断し、且つ判断結果をアクセスネットワークに知らせることを含む。
【００１０】
好ましくは、アクセスネットワークが参加するユーザーがいるかどうかを判断するステップに、アクセスネットワークは、ユーザーがマルチキャスト・ブロードキャスト・サービスからログアウトするときに判断し、或いは定時に判断し、
コアネットワークが、参加するユーザーがいるかどうかを判断するステップに、コアネットワークが、ユーザーがマルチキャスト・ブロードキャストサービスからログアウトするときに判断し、或いはアクセスネットワークにより知らせ或いは定時に判断する。
【００１１】
好ましくは、アクセスネットワーク或いはコアネットワークが、マルチキャスト・ブロードキャスト・サービスにまた参加するユーザーがいるかどうかを判断するステップに、該マルチキャスト・ブロードキャスト・サービス対応の端末の統計情報と、該マルチキャスト・ブロードキャスト・サービス対応の端末情報とのいずれかによって参加するユーザーがまたいるかどうかを判断する。
【００１２】
好ましくは、マルチキャスト・ブロードキャスト・サービス対応の端末情報によってあるマルチキャスト・ブロードキャスト・サービスにまた参加するユーザーがいるかどうかを判断するステップに、アクセスネットワーク或いはコアネットワークが、該マルチキャスト・ブロードキャスト・サービスに対応の端末識別子またはユーザーの課金情報がまたあるかどうかを判断し、あると、該マルチキャスト・ブロードキャスト・サービスに参加するユーザーがまたいる、ないと、参加するユーザーがいない。
【００１３】
好ましくは、前記方法はさらに、
アクセスネットワークが、マルチキャスト・ブロードキャスト・サービス伝送エリア識別子とパケットデータストリーム識別子、マルチキャスト・ブロードキャスト・サービスが位置するマルチキャスト・ブロードキャストエリア識別子とパケットデータストリーム識別子、マルチキャスト・ブロードキャストエリア識別子と接続識別子とのメッセージの組み合わせのいずれによってマルチキャスト・ブロードキャスト・サービスを確定することを含む。
【００１４】
好ましくは、前記アクセスネットワークがコアネットワークに通知してあるデータパスに相応なマルチキャスト・ブロードキャスト・サービスを終止するステップが、アクセスネットワークにおけるマルチキャスト・ブロードキャストプロキシがコアネットワークにおけるマルチキャスト・ブロードキャストコントローラにマルチキャスト・ブロードキャスト・サービスを終止するメッセージを送信することを含む。
【００１５】
好ましくは、マルチキャスト・ブロードキャストプロキシがマルチキャスト・ブロードキャスト・サービスを終止するメッセージを送信するステップに、前記マルチキャスト・ブロードキャストプロキシが、アクセスネットワークとコアネットワークとの間にインタラクティブためのメッセージと、新しく増えたマルチキャスト・ブロードキャストコントローラにマルチキャスト・ブロードキャスト・サービス終止を発起するためのメッセージのいずれがマルチキャスト・ブロードキャスト・サービスを終止するメッセージとし、
前記アクセスネットワークとコアネットワークの間にインタラクティブためのメッセージが、アクセスインタラクティブメッセージ及び/または認証変更メッセージを含む。
【００１６】
好ましくは、前記方法はさらに、
前記マルチキャスト・ブロードキャスト・サービス対応のコアネットワークとアクセスネットワークの間に相応なサービス接続が存在すれば、アクセスネットワークがコアネットワークに通知して該データパスに相応なマルチキャスト・ブロードキャスト・サービスを終止するときに、さらにコアネットワックに該マルチキャスト・ブロードキャスト・サービスが対応する前記サービス接続を終止することを発起することを含む。
【００１７】
前記技術課題を解決するために、本発明はマルチキャスト・ブロードキャストデータパスをリリースするシステムを提供し、アクセスネットワークとコアネットワークを含み、
前記アクセスネットワークは、マルチキャスト・ブロードキャスト・サービスを負荷するためのデータパスのリリースを発起し、且つコアネットワークに通知して該データパスに相応なマルチキャスト・ブロードキャスト・サービスを終止するように設置され、
前記コアネットワークは、該データパスに相応なマルチキャスト・ブロードキャスト・サービスを終止するように設置される。
【００１８】
好ましくは、前記アクセスネットワークは、マルチキャスト・ブロードキャストデータパスエンティティ、マルチキャスト・ブロードキャストプロキシ及びマルチキャスト・ブロードキャストサービス配付データパスエンティティを含み、前記コアネットワークはマルチキャスト・ブロードキャストコントローラを含み、その中に、
前記マルチキャスト・ブロードキャストプロキシは、必要なときにデータパスのリリースを発起し、且つマルチキャスト・ブロードキャストコントローラに通知して該データパスに相応なマルチキャスト・ブロードキャスト・サービスを終止するように設置され、
前記マルチキャスト・ブロードキャストデータパスエンティティは、前記マルチキャスト・ブロードキャストプロキシまたはマルチキャスト・ブロードキャストサービス配付データパスエンティティの制御下でデータパスをリリースするように設置され、
マルチキャスト・ブロードキャスト・サービス分配データパスエンティティは、前記マルチキャスト・ブロードキャストプロキシの制御下でデータパスをリリースするように設置され、
前記マルチキャスト・ブロードキャストコントローラは、前記マルチキャスト・ブロードキャストプロキシの通知によって、前記データパスに相応なマルチキャスト・ブロードキャスト・サービスを終止するように設置する。
【００１９】
前記技術課題を解決ために、本発明はアクセスネットワークのゲートウェイを提供し、マルチキャスト・ブロードキャストプロキシとマルチキャスト・ブロードキャスト・サービス分配データパスエンティティを含み、
前記マルチキャスト・ブロードキャストプロキシは、必要なときにデータパスのリリースを発起し、且つコアネットワークに通知して該データパスに相応なマルチキャスト・ブロードキャスト・サービスを終止するように設置され、
前記マルチキャスト・ブロードキャスト・サービス配付データパスエンティティは、前記マルチキャスト・ブロードキャストプロキシの制御下でデータパスをリリースするように設置される。
【００２０】
好ましくは、前記ゲートウェイはさらに、アンカーサービスフロー認可エンティティを含み、
前記マルチキャスト・ブロードキャストプロキシはさらに、データパスに置ける全てのマルチキャスト・ブロードキャスト・サービスのいずれにも参加するユーザーがいないと、或いはリソースが不足でデータパスをリリースする必要があると、或いはあるデータパスにおけるマルチキャスト・ブロードキャストサービスは異常があると、データパスのリリースを発起するように設置される。
【００２１】
好ましくは、前記アクセスサービスゲートウェイはさらに、アンカーサービスフロー認可エンティティを含み、
前記アンカーサービスフロー認可エンティティは、前記マルチキャスト・ブロードキャストプロキシにマルチキャスト・ブロードキャスト・サービスから離れる要求メッセージを送信し、端末に指示して該マルチキャスト・ブロードキャスト・サービスから離れるように設置され、
前記マルチキャスト・ブロードキャストプロキシはさらに、前記アンカーサービスフロー認可エンティティが送信したマルチキャスト・ブロードキャスト・サービスから離れる要求メッセージを受信した後、該マルチキャスト・ブロードキャスト・サービス対応の端末の統計情報或いは該マルチキャスト・ブロードキャスト・サービス対応の端末情報をアップデートし、前記マルチキャスト・ブロードキャストプロキシが前記統計情報或いは端末情報によって前記マルチキャスト・ブロードキャスト・サービスにまた参加するユーザーがいるかどうかを判断するように設置する。
【発明の効果】
【００２２】
本発明の前記方法によって、プロセス柔軟性を向上させ、各種の場面に適用し、最大限にネットワークリソースを節約する。
【図面の簡単な説明】
【００２３】
【図１】マルチキャスト・ブロードキャストシステム模式図である。
【図２】本発明の実施例1に係るマルチキャスト・ブロードキャストデータパスをリリースするフローチャート図である。
【図３】本発明の実施例3に係るマルチキャスト・ブロードキャストデータパスをリリースするフローチャート図である。
【発明を実施するための形態】
【００２４】
本発明の発明構想は、アクセスネットワークがいずれの必要なときデータパスのリリースを発起し、且つコアネットワークに通知して該データパスに相応なマルチキャスト・ブロードキャスト・サービスを終止することができることである。
【００２５】
1つのデータパスに1つの或いは1つの以上のマルチキャスト・ブロードキャスト・サービスを負荷することができる。あるデータパスにおける全てのマルチキャスト・ブロードキャスト・サービス(セッション)のいずれにも参加するユーザーがいないときに、或いはアクセスネットワークがリソース不足に気づくときに、或いはアクセスネットワークがあるデータパスにおけるマルチキャスト・ブロードキャスト・サービスは異常があることに気づくときに、アクセスネットワークが該データパスのリリースを発起し、且つコアネットワークに通知して該データパスに相応なマルチキャスト・ブロードキャスト・サービスを終止する。アクセスネットワークはコアネットワークに通知する時機が該データパスに最後1つのマルチキャスト・ブロードキャスト・サービスにすでに参加するユーザーがいないことを判断した後にあってもよい、或いはマルチキャスト・ブロードキャスト・サービス対応のデータパスリリースを発起する過程にあってもよい。
【００２６】
マルチキャスト・ブロードキャスト・サービスにまた参加するユーザーがいるかどうかがアクセスネットワークにより自分記憶した情報によって判断してもよく、或いはコアネットワークにより判断した後アクセスネットワークに知らせてもよい。アクセスネットワーク或いはコアネットワークはユーザーがあるマルチキャスト・ブロードキャスト・サービスからログアウトするとき判断してもよく、タイマーを設定することによって定時に判断してもよい。
【００２７】
アクセスネットワーク或いはコアネットワークは、該マルチキャスト・ブロードキャスト・サービス対応の端末の統計情報(端末数の計数値)と、該マルチキャスト・ブロードキャスト・サービス対応の端末情報、例えば端末識別子(MSID)、ユーザーの課金情報などの情報のいずれによってあるマルチキャスト・ブロードキャスト・サービスにまた参加するユーザーがいるかどうかを判断することができる。統計情報によって直接にマルチキャスト・ブロードキャスト・サービスにまた参加するユーザーがいるかどうかを判断でき、端末情報、例えば端末識別子またはユーザー課金情報によって間接的に判断でき、該マルチキャスト・ブロードキャスト・サービスが端末識別子或いはユーザー課金情報などの端末情報記憶に対応すれば、また参加するユーザーがいることを示し、さもないとすでに参加するユーザーがいないことを示す。
【００２８】
前記方法を実現するシステムは図1に示すように、コアネットワーク(CSN)とアクセスネットワーク(ASN)を含み、その中に、
前記アクセスネットワークは、マルチキャスト・ブロードキャスト・サービスを負荷するためのデータパスのリリースを発起し、且つコアネットワークに通知して該データパスに相応なマルチキャスト・ブロードキャスト・サービスを終止するように設置され、
前記コアネットワークは、該データパスに相応なマルチキャスト・ブロードキャスト・サービスを終止するように設置される。
【００２９】
さらに、アクセスネットワークは、マルチキャスト・ブロードキャストデータパスエンティティ(MBS DPF)、マルチキャスト・ブロードキャストプロキシ(MBS Proxy)及びマルチキャスト・ブロードキャスト・サービス配付データパスエンティティ(MBS Distribution DPF)を含み、コアネットワークはマルチキャスト・ブロードキャストコントローラ /サーバー(MCBCS Controller/Server)を含み、その中に
・前記マルチキャスト・ブロードキャストプロキシは、必要なときデータパスのリリースを発起し、且つマルチキャスト・ブロードキャストコントローラに通知して該データパスに相応なマルチキャスト・ブロードキャスト・サービスを終止するように設置され、
必要なときとは、あるデータパスにおける全てのマルチキャスト・ブロードキャスト・サービスに参加するユーザーがいないとき、或いはリソースが不足でデータパスをリリースする必要があるとき、或いはあるデータパスにおけるマルチキャスト・ブロードキャスト・サービスは異常があるときである。
【００３０】
前記マルチキャスト・ブロードキャストプロキシはさらに、あるデータパスにおけるマルチキャスト・ブロードキャスト・サービスに参加するユーザーがいるかどうかを判断するように設置される。
【００３１】
・前記マルチキャスト・ブロードキャストデータパスエンティティは、前記マルチキャスト・ブロードキャストプロキシまたはマルチキャスト・ブロードキャストサービス配付データパスエンティティの制御下でデータパスをリリースするように設置され、
・マルチキャスト・ブロードキャスト・サービス配付データパスエンティティは、前記マルチキャスト・ブロードキャストプロキシの制御下でデータパスをリリースするように設置され、
・前記マルチキャスト・ブロードキャストコントローラは、前記マルチキャスト・ブロードキャストプロキシの通知によって、前記データパスに相応なマルチキャスト・ブロードキャスト・サービスを終止するように設置される。
【００３２】
マルチキャスト・ブロードキャストコントローラはさらに、あるデータパスにおけるマルチキャスト・ブロードキャスト・サービスに参加するユーザーがいるかどうかを判断し、且つ判断結果を前記マルチキャスト・ブロードキャストプロキシに知らせるように設置される。
【００３３】
前記マルチキャスト・ブロードキャスト・サービスにまた参加するユーザーがいるかどうかの判断は、ユーザーがあるマルチキャスト・ブロードキャスト サービスからログアウトするときに行い、或いは定時に行う。該マルチキャスト・ブロードキャスト・サービス対応の端末の統計情報と、該マルチキャスト・ブロードキャスト・サービス対応の端末情報のいずれによって行うことができる。
【００３４】
前記アクセスネットワークはさらに、アンカーサービスフロー認可エンティティを含み、
前記アンカーサービスフロー認可エンティティは、前記マルチキャスト・ブロードキャストプロキシにマルチキャスト・ブロードキャスト・サービスから離れる要求メッセージを送信し、ある端末に指示して該マルチキャスト・ブロードキャスト・サービスから離れるように設置され、
前記マルチキャスト・ブロードキャストプロキシはさらに、前記アンカーサービスフロー認可エンティティが送信したマルチキャスト・ブロードキャスト・サービスから離れる要求メッセージを受信した後、該マルチキャスト・ブロードキャスト・サービス対応の端末の統計情報或いは該マルチキャスト・ブロードキャスト・サービス対応の端末情報をアップデートし、前記マルチキャスト・ブロードキャストプロキシが前記統計情報或いは端末情報によって前記マルチキャスト・ブロードキャスト・サービスにまた参加するユーザーがいるかどうかを判断するように設置される。
【００３５】
相応的に、本発明の実施例に係るアクセスネットワークのゲートウェイは、上記したマルチキャスト・ブロードキャストプロキシとマルチキャスト・ブロードキャスト・サービス配付データパスエンティティを含み、さらに上記したアンカーサービスフロー認可エンティティを含んでもよい。
【実施例１】
【００３６】
アクセスネットワークはデータパスのマルチキャスト・ブロードキャスト・サービスに参加するユーザーがいるかどうかによって判断し且つ発起したマルチキャスト・ブロードキャストデータパスリリースプロセスが図2に示すように、以下のステップを含み、
ステップ110、マルチキャスト・ブロードキャストプロキシ(MBS Proxy)はあるマルチキャスト・ブロードキャスト・サービスにすでに参加するユーザーがいないことを判断すると、マルチキャスト・ブロードキャストコントローラ/サーバー(MCBCS Controller/Server)に該 マルチキャスト・ブロードキャスト・サービスを終止することを発起し(あるマルチキャスト・ブロードキャスト・サービスを終止するメッセージを送信することによって)、
マルチキャスト・ブロードキャストプロキシは、定時にあるマルチキャスト・ブロードキャスト・サービスに参加するユーザーがいるかどうかを判断してもよく、或いはある端末があるマルチキャスト・ブロードキャスト・サービスから離れるときに、該ユーザーが該マルチキャスト・ブロードキャスト・サービスの最後のユーザーであるかどうかを判断してもよく、即ち、該マルチキャスト・ブロードキャスト・サービスにまた参加するユーザーがいるかどうかを判断する。
【００３７】
該マルチキャスト・ブロードキャスト・サービス対応のコアネットワークとアクセスネットワークの間に相応なサービス接続があれば、即ち、マルチキャスト・ブロードキャストコントローラ/サーバーとマルチキャスト・ブロードキャストプロキシの間に相応なサービス接続があれば、アクセスネットワックがさらに、同時にコアネットワークに該マルチキャスト・ブロードキャスト・サービスが対応する前記サービス接続を終止することを発起でき、即ち、マルチキャスト・ブロードキャストプロキシが該マルチキャスト・ブロードキャスト・サービスが対応する前記サービス接続を終止することを発起できる。該サービス接続が前記マルチキャスト・ブロードキャスト・サービス開始初めのときに、コアネットワークが該サービスのためにアクセスネットワークに1つのマルチキャスト・ブロードキャストプロキシを選択して該マルチキャスト・ブロードキャスト・サービスのアクセスネットワークにおける関連制御面管理を担当し、一旦選定すると前記サービス接続が成功に確立する。該サービス接続が予め配置してもよく、予め配置すれば、該前記サービス接続を終止する必要がない。
【００３８】
ステップ120、マルチキャスト・ブロードキャストコントローラ/サーバーは該マルチキャスト・ブロードキャスト・サービスを終止し、マルチキャスト・ブロードキャストプロキシに応答メッセージを返事して該マルチキャスト・ブロードキャスト・サービスに対しての終止を確認し、
前のステップに前記サービス接続を終止する要求も含めば、マルチキャスト・ブロードキャストコントローラ/サーバーが該サービス接続も終止し、且つ応答メッセージに該サービス接続に対しての終止を確認する。
【００３９】
ステップ110とステップ120において、マルチキャスト・ブロードキャストプロキシとマルチキャスト・ブロードキャストコントローラ/サーバーとが、従来のアクセスインタラクティブメッセージ(アクセス要求メッセージ Access Request、アクセス応答メッセージAccess Responseを含む)または認可変更メッセージ(Change of authorization、CoAと略称し、認可変更要求メッセージと認可変更応答メッセージを含む)などのアクセスネットワークとコアネットワークの間のインタラクティブメッセージによってマルチキャスト・ブロードキャスト・サービス終止のインタラクティブを行い、例えば、マルチキャスト・ブロードキャストプロキシがアクセス要求メッセージ または認可変更要求を送信してマルチキャスト・ブロードキャスト・サービスの終止を発起し、マルチキャスト・ブロードキャストコントローラ/サーバーがアクセス応答メッセージまたは認可変更応答を送信してマルチキャスト・ブロードキャスト・サービス終止の応答とし、さらに例えば、マルチキャスト・ブロードキャストコントローラ/サーバーがまずアクセス要求或いは認可変更要求を送信したことがあると、このときに、マルチキャスト・ブロードキャストプロキシがアクセス応答或いは認可変更応答によってマルチキャスト・ブロードキャスト・サービスの終止を発起してもよい。或いは、改めて新しいメッセージを構造して専門にマルチキャスト・ブロードキャスト・サービスの終止を発起と応答することに用いられてもよい。前記これらのメッセージに終止のマルチキャスト・ブロードキャスト・サービスを明示する必要があり、即わち、終止が必要なマルチキャスト・ブロードキャスト・サービスの情報を携帯している。
【００４０】
ステップ130、マルチキャスト・ブロードキャストプロキシは、該マルチキャスト・ブロードキャスト・サービスのマルチキャスト・ブロードキャストエリア内の全ての基地局(基地局にマルチキャスト・ブロードキャストデータパスエンティティを含む)に該マルチキャスト・ブロードキャスト・サービス対応のデータパスのリリースを発起し、データパスリリース要求メッセージ(Path_Dereg_Req)を送信し、
データパスが複数のマルチキャスト・ブロードキャスト・サービスに分配されて使用されるときに、マルチキャスト・ブロードキャストプロキシはさらに、該データパスにまた他のアクティブにしたマルチキャスト・ブロードキャスト・サービスがあるかどうかを判断する必要があり、ないと、リリースを発起する。
【００４１】
ステップ140、各基地局のマルチキャスト・ブロードキャストデータパスエンティティは、データパスリリース要求を受信した後、対応のデータパスをリリースし、且つそれぞれ該マルチキャスト・ブロードキャストプロキシにリリース応答メッセージ(Path Dereg Rsp)を送信して該データパスのリリースを確認する。
【実施例２】
【００４２】
コアネットワークによりアクセスネットワークがリリースを発起することを判断するプロセスは実施例1に係るプロセスとの区別は、コアネットワックがあるマルチキャスト・ブロードキャスト・サービスにすでに参加するユーザーがいないことを判断した後、判断結果をアクセスネットワークに知らせてから、アクセスネットワックがマルチキャスト・ブロードキャスト・サービスの中止或いはマルチキャスト・ブロードキャスト・サービス対応のデータパスのリリースを発起するかどうかを決める。
【００４３】
コアネットワークは定時に判断してもよく、或いはある端末があるマルチキャスト・ブロードキャスト・サービスから離れるときに判断してもよい。コアネットワークにおけるマルチキャスト・ブロードキャストコントローラ/サーバーまたはAAAサーバー(認証、認可及び課金サーバー)が判断を完成することができる。
【実施例３】
【００４４】
アクセスネットワークにおけるマルチキャスト・ブロードキャストプロキシは、その自分記憶した情報によってあるマルチキャスト・ブロードキャスト・サービスに参加するユーザーがいるかどうかを判断し、マルチキャスト・ブロードキャストプロキシは先ずマルチキャスト・ブロードキャスト・サービスを確定し、さらに端末の数(計数値)または端末情報(端末識別子またはユーザーの課金情報)などによって該マルチキャスト・ブロードキャスト・サービスにまた参加するユーザーがいるかどうかを確定する。マルチキャスト・ブロードキャストプロキシは以下の方法によってマルチキャスト・ブロードキャスト・サービス対応の統計情報及び/または端末情報を取得し、図3に示すように、
ステップ310、アンカーサービスフロー認可エンティティ(Anchor SFA)はマルチキャスト・ブロードキャストプロキシにマルチキャスト・ブロードキャスト・サービスから離れる要求メッセージ(MBS Leave Request)を送信し、ある端末に指示して該マルチキャスト・ブロードキャスト・サービスから離れ、
ステップ320、マルチキャスト・ブロードキャストプロキシは、該メッセージを受信した後、マルチキャスト・ブロードキャスト・サービスを確定し、記憶した該マルチキャスト・ブロードキャスト・サービスの関連端末情報または統計情報をアップデートし、且つアンカーサービスフロー認可エンティティに応答メッセージ(MBS Leave Response)を送信する。
【００４５】
さらに、マルチキャスト・ブロードキャストプロキシは、マルチキャスト・ブロードキャスト・サービス伝送エリア識別子とパケットデータストリーム識別子、マルチキャスト・ブロードキャスト・サービスが位置するマルチキャスト・ブロードキャストエリア識別子とパケットデータストリーム識別子、マルチキャスト・ブロードキャストエリア識別子と接続識別子のメッセージの組み合わせのいずれによってマルチキャスト・ブロードキャスト・サービスを確定することができる。
【００４６】
また、ユーザーがあるマルチキャスト・ブロードキャスト・サービスに加入するときに、マルチキャスト・ブロードキャストプロキシがマルチキャスト・ブロードキャスト・サービス対応の統計情報及び/または端末情報を取得することができ、具体的に以下のステップを含み、
ステップ410、アンカーサービスフロー認可エンティティ(Anchor SFA)はマルチキャスト・ブロードキャストプロキシにマルチキャスト・ブロードキャスト・サービスに加入する要求メッセージ(MBS Join Request)を送信し、ある端末に指示して該マルチキャスト・ブロードキャスト・サービスに加入し、
ステップ420、マルチキャスト・ブロードキャストプロキシは該メッセージを受信した後、記憶した該マルチキャスト・ブロードキャスト・サービスに関連の端末情報または統計情報をアップデートし、且つアンカーサービスフロー認可エンティティに応答メッセージ(MBS Join Response)を送信する。
【００４７】
同様に、マルチキャスト・ブロードキャストプロキシは、マルチキャスト・ブロードキャストサービス伝送エリア識別子とパケットデータストリーム識別子、マルチキャスト・ブロードキャスト・サービスが位置するマルチキャスト・ブロードキャストエリア識別子とパケットデータストリーム識別子、マルチキャスト・ブロードキャストエリア識別子と接続識別子のメッセージの組み合わせのいずれによってマルチキャスト・ブロードキャスト・サービスを確定する。
【００４８】
マルチキャスト・ブロードキャストプロキシは、自分記憶した該マルチキャスト・ブロードキャスト・サービスに加入する相応な端末の情報、または該マルチキャスト・ブロードキャスト・サービスに加入する相応な端末の計数情報によって、直接に最後の1つの端末が該サービスから離れることを意識することができ、または他のネットワークエンティティによってこの指示(即ち、最後の1つの端末に指示して該サービスから離れ、または該マルチキャスト・ブロードキャスト・サービスにすでに使用する端末がない)をマルチキャスト・ブロードキャストプロキシに通知しまたはマルチキャスト・ブロードキャストプロキシと関連情報をインタラクティブことにより(共同で最後の1つの端末が該サービスから離れることまたは該マルチキャスト・ブロードキャスト・サービスにすでに使用する端末がないことを判断する)、間接的に最後の1つの端末が該サービスから離れまたは該マルチキャスト・ブロードキャスト・サービスにすでに使用する端末がないことを意識する。後者に対して、他のネットワークエンティティに該マルチキャスト・ブロードキャスト・サービスに加入する相応な端末の情報を記憶し、例えば、コアネットワークの AAAサーバーは、おそらく課金を必要とするため、端末が加入するサービス情報を記憶している。
【００４９】
前記「最後の1つの端末」とは、該マルチキャスト・ブロードキャスト番組サービスを受ける端末の中で、該サービスからログアウトする(該サービスの受信を停止する)最後の1つの端末であり、端末がアクティブ態に位置してもよく、省電力モード(スリープモードまたはアイドルモード)に位置してもよい。
【００５０】
本発明は特定の実施例を結合して説明したが、本分野の技術者にとって、本発明の精神または範囲を外れない場合に改正と変化を行うことができる。このような改正と変化が本発明の範囲と付け加えた請求範囲の内にあるものとされる。
【産業上の利用可能性】
【００５１】
本発明はマルチキャスト・ブロードキャストデータパスのリリース方法及びシステムを提供し、アクセスネットワークによりマルチキャスト・ブロードキャスト・サービスを負荷するためのデータパスのリリースを発起し、それにより、プロセス柔軟性を向上させ、各場面に適用し、最大限にネットワークリソースを節約する。
【図１】
0005436664.tif 000002
【図２】
0005436664.tif 000003
【図３】
0005436664.tif 000004